【事件の表示】
　平成　２年特許願第２８８６０５号「硫黄を通じ結合された置換基を有するスルホニルアミノカルボニルトリアゾリノン類」拒絶査定不服審判事件〔平成　３年　７月　１日出願公開、特開平　３−１５３６７５〕について、次のとおり審決する。
【結　論】
　本件審判の請求は、成り立たない。
【理　由】
１．本願発明
　本願は、平成２年１０月２９日（優先権主張、１９８９年１１月３日、ドイツ連邦共和国）に特許出願されたものであって、平成１１年１２月２７日付け手続補正書により補正された明細書の記載からみて、その請求項１〜６に係る発明は、特許請求の範囲に記載されたとおりものであって、その請求項１に係る発明（以下、本願発明という。）は、次のとおりのものである。
　
「１．　一般式（Ｉ）
式中、
　ｎは数字０、１または２を表し、
　Ｒ1 は、水素、ヒドロキシルまたはアミノを表すか；場合によりフッ素、塩素、臭素、シアノ、Ｃ1−Ｃ4−アルコキシ、Ｃ1−Ｃ4−アルキル−カルボニルまたはＣ1−Ｃ4−アルコキシ−カルボニルにより置換されていてもよいＣ1−Ｃ6−アルキルを表すか；それぞれ場合によりフッ素、塩素及び／または臭素により置換されていてもよいＣ3−Ｃ6−アルケニルまたはＣ3−Ｃ6−アルキニルを表すか；場合によりフッ素、塩素、臭素及び／またはＣ1−Ｃ4−アルキルにより置換されていてもよいＣ3−Ｃ6−シクロアルキルを表すか；場合によりフッ素、塩素、シアノ、フェニル、Ｃ1−Ｃ4−アルコキシまたはＣ1−Ｃ4−アルコキシ−カルボニルにより置換されていてもよいＣ1−Ｃ6−アルコキシを表すか；Ｃ3−Ｃ4−アルケニルオキシを表わすか；場合によりフッ素、シアノ、Ｃ1−Ｃ4−アルコキシまたはＣ1−Ｃ4−アルコキシ−カルボニルにより置換されていてもよいＣ1−Ｃ4−アルキルアミノを表すか；或いはＣ3−Ｃ6−シクロアルキルアミノまたはジ（Ｃ1−Ｃ4−アルキル）−アミノを表し、
　Ｒ2 は場合によりフッ素、塩素、臭素、シアノ、Ｃ3−Ｃ6−シクロアルキル、Ｃ1−Ｃ4−アルコキシまたはＣ1−Ｃ4−アルコキシ−カルボニルにより置換されていてもよいＣ1−Ｃ6−アルキルを表すか；それぞれ場合によりフッ素、塩素及び／または臭素により置換されていてもよいＣ3−Ｃ6−アルケニルまたはＣ3−Ｃ6−アルキニルを表すか；場合によりフッ素、塩素、臭素及び／またはＣ1−Ｃ4−アルキルにより置換されていてもよいＣ3−Ｃ6−シクロアルキルを表し、そして
　Ｒ3 は基
       
を表し、ここで
　Ｒ4 及びＲ5 は同一もしくは相異なり、そして水素、フッ素、塩素、臭素、ヨウ素、ニトロ、Ｃ1−Ｃ6−アルキル（該基は場合によりフッ素、塩素、臭素、シアノ、カルボキシル、Ｃ1−Ｃ4−アルコキシ−カルボニル、Ｃ1−Ｃ4−アルキルアミノ−カルボニル、ジ（Ｃ1−Ｃ4−アルキル）アミノ−カルボニル、ヒドロキシル、Ｃ1−Ｃ4−アルコキシ、ホルミルオキシ、Ｃ1−Ｃ4−アルキル−カルボニルオキシ、Ｃ1−Ｃ4−アルコキシ−カルボニルオキシ、Ｃ1−Ｃ4−アルキルアミノ−カルボニルオキシ、Ｃ1−Ｃ4−アルキルチオ、Ｃ1−Ｃ4−アルキルスルフィニル、Ｃ1−Ｃ4−アルキルスルホニル、ジ−（Ｃ1−Ｃ4−アルキル）−アミノスルホニル、Ｃ3−Ｃ6−シクロアルキルもしくはフェニルにより置換されていてもよい）を表すか；Ｃ2−Ｃ6−アルケニル（該基は場合によりフッ素、塩素、臭素、シアノ、Ｃ1−Ｃ4−アルコキシ−カルボニル、カルボキシルまたはフェニルにより置換されていてもよい）を表すか；Ｃ2−Ｃ6−アルキニル（該基は場合によりフッ素、塩素、臭素、シアノ、Ｃ1−Ｃ4−アルコキシ−カルボニル、カルボキシルもしくはフェニルにより置換されていてもよい）を表すか；Ｃ1−Ｃ4−アルコキシ（該基は場合によりフッ素、塩素、臭素、シアノ、カルボキシル、Ｃ1−Ｃ4−アルコキシ−カルボニル、Ｃ1−Ｃ4−アルコキシ、Ｃ1−Ｃ4−アルキルチオ、Ｃ1−Ｃ4−アルキルスルフィニルもしくはＣ1−Ｃ4−アルキルスルホニルにより置換されていてもよい）を表すか；Ｃ1−Ｃ4−アルキルチオ（該基は場合によりフッ素、塩素、臭素、シアノ、カルボキシル、Ｃ1−Ｃ4−アルコキシ−カルボニル、Ｃ1−Ｃ4−アルキルチオ、Ｃ1−Ｃ4−アルキルスルフィニルもしくはＣ1−Ｃ4−アルキルスルホニルにより置換されていてもよい）を表すか；Ｃ3−Ｃ6−アルケニルオキシ（該基は場合によりフッ素、塩素、臭素、シアノもしくはＣ1−Ｃ4−アルコキシ−カルボニルにより置換されていてもよい）を表すか；Ｃ2−Ｃ6−アルケニルチオ（該基は場合によりフッ素、塩素、臭素、シアノ、ニトロ、Ｃ1−Ｃ3−アルキルチオもしくはＣ1−Ｃ4−アルコキシカルボニルにより置換されていてもよい）、Ｃ3−Ｃ6−アルキニルオキシまたはＣ3−Ｃ6−アルキニルチオを表すか、或いは基−Ｓ(Ｏ)ｐ−Ｒ6を表し、ここで
　ｐは数字１または２を表し、そして
　Ｒ6 はＣ1−Ｃ4−アルキル（該基は場合によりフッ素、塩素、臭素、シアノもしくはＣ1−Ｃ4−アルコキシ−カルボニルにより置換されていてもよい）、Ｃ3−Ｃ6−アルケニル、Ｃ3−Ｃ6−アルキニル、Ｃ1−Ｃ4−アルコキシ、Ｃ1−Ｃ4−アルコキシ−Ｃ1−Ｃ4−アルキルアミノ、Ｃ1−Ｃ4−アルキルアミノ、ジ−（Ｃ1−Ｃ4−アルキル）−アミノまたはフェニルを表すか；或いは基−ＮＨＯＲ7 を表し、ここで
　Ｒ7 はＣ1−Ｃ12−アルキル（該基は場合によりフッ素、塩素、シアノ、Ｃ1−Ｃ4−アルコキシ、Ｃ1−Ｃ4−アルキルチオ、Ｃ1−Ｃ4−アルキルスルフィニル、Ｃ1−Ｃ4−アルキルスルホニル、Ｃ1−Ｃ4−アルキル−カルボニル、Ｃ1−Ｃ4−アルコキシ−カルボニル、Ｃ1−Ｃ4−アルキルアミノ−カルボニルもしくはジ−（Ｃ1−Ｃ4−アルキル）−アミノ−カルボニルにより置換されていてもよい）を表すか；Ｃ3−Ｃ6−アルケニル（該基は場合によりフッ素、塩素もしくは臭素により置換されていてもよい）、Ｃ3−Ｃ6−アルキニル、Ｃ3−Ｃ6−シクロアルキル、Ｃ3−Ｃ6−シクロアルキル−Ｃ1−Ｃ2−アルキル、フェニル−Ｃ1−Ｃ2−アルキル（該基は場合によりフッ素、塩素、ニトロ、シアノ、Ｃ1−Ｃ4−アルキル、Ｃ1−Ｃ4−アルコキシもしくはＣ1−Ｃ4−アルコキシ−カルボニルにより置換されていてもよい）を表すか；ベンズヒドリルを表すか；或いはフェニル（該基は場合によりフッ素、塩素、ニトロ、シアノ、Ｃ1−Ｃ4−アルキル、トリフルオロメチル、Ｃ1−Ｃ4−アルコキシ、Ｃ1−Ｃ2−フルオロアルコキシ、Ｃ1−Ｃ4−アルキルチオ、トリフルオロメチルチオもしくはＣ1−Ｃ4−アルコキシ−カルボニルにより置換されていてもよい）を表し、
　Ｒ4 及び／またはＲ5 はさらにフェニルまたはフェノキシを表すか；Ｃ1−Ｃ4−アルキル−カルボニルアミノ、Ｃ1−Ｃ4−アルコキシ−カルボニルアミノ、Ｃ1−Ｃ4−アルキルアミノ−カルボニルアミノまたはジ−（Ｃ1−Ｃ4−アルキル）−アミノ−カルボニルアミノを表すか；或いは基−ＣＯ−Ｒ8 を表し、ここで
　Ｒ8 はＣ1−Ｃ6−アルキル、Ｃ1−Ｃ6−アルコキシ、Ｃ3−Ｃ6−シクロアルコキシ、Ｃ3−Ｃ6−アルケニルオキシ、Ｃ1−Ｃ4−アルキルチオ、Ｃ1−Ｃ4−アルキルアミノ、Ｃ1−Ｃ4−アルコキシアミノ、Ｃ1−Ｃ4−アルコキシ−Ｃ1−Ｃ4−アルキル−アミノまたはジ−（Ｃ1−Ｃ4−アルキル）−アミノ（これらの基はそれぞれ場合によりフッ素及び／もしくは塩素により置換されていてもよい）を表し、
　Ｒ4 及び／またはＲ5 はさらにトリメチルシリル、チアゾリニル、Ｃ1−Ｃ4−アルキルスルホニルオキシまたはジ−（Ｃ1−Ｃ4−アルキル）−アミノスルホニルアミノを表すか；或いは基−ＣＨ＝Ｎ−Ｒ9 を表し、ここで
　Ｒ9 は場合によりフッ素、塩素、シアノ、カルボキシル、Ｃ1−Ｃ4−アルコキシ、Ｃ1−Ｃ4−アルキルチオ、Ｃ1−Ｃ4−アルキルスルフィニルまたはＣ1−Ｃ4−アルキルスルホニルにより置換されていてもよいＣ1−Ｃ6−アルキルを表すか；場合によりフッ素または塩素により置換されていてもよいベンジルを表すか；それぞれ場合によりフッ素または塩素により置換されていてもよいＣ3−Ｃ6−アルケニルまたはＣ3−Ｃ6−アルキニルを表すか；場合によりフッ素、塩素、臭素、Ｃ1−Ｃ4−アルキル、Ｃ1−Ｃ4−アルコキシ、トリフルオロメチル、トリフルオロメトキシまたはトリフルオロメチルチオにより置換されていてもよいフェニルを表すか；それぞれ場合によりフッ素及び／または塩素により置換されていてもよいＣ1−Ｃ6−アルコキシ、Ｃ3−Ｃ6−アルケノキシ、Ｃ3−Ｃ6−アルキノキシまたはベンジルオキシを表すか；アミノ、Ｃ1−Ｃ4−アルキルアミノ、ジ−（Ｃ1−Ｃ4−アルキル）−アミノ、フェニル−アミノ、Ｃ1−Ｃ4−アルキル−カルボニル−アミノ、Ｃ1−Ｃ4−アルコキシ−カルボニルアミノまたはＣ1−Ｃ4−アルキル−スルホニルアミノを表すか；場合によりフッ素、塩素、臭素またはメチルにより置換されていてもよいフェニルスルホニルアミノを表し、さらにＲ3 は基
                    を表し、ここで
　Ｒ10は水素またはＣ1−Ｃ4−アルキルを表し、
　Ｒ11及びＲ12は同一もしくは相異なり、そして水素、フッ素、塩素、臭素、ニトロ、シアノ、Ｃ1−Ｃ4−アルキル（該基は場合によりフッ素及び／もしくは塩素により置換されていてもよい）、Ｃ1−Ｃ4−アルコキシ（該基は場合によりフッ素及び／もしくは塩素により置換されていてもよい）、カルボキシル、Ｃ1−Ｃ4−アルコキシ−カルボニル、ジメチルアミノカルボニル、Ｃ1−Ｃ4−アルキルスルホニルまたはジ−（Ｃ1−Ｃ4−アルキル）−アミノスルホニルを表し、さらにＲ3 は基
         
を表し、ここで
　Ｒ19及びＲ20は同一もしくは相異なり、そして水素、フッ素、塩素、臭素、シアノ、ニトロ、Ｃ1−Ｃ4−アルキル（該基は場合によりフッ素及び／もしくは塩素により置換されていてもよい）、Ｃ1−Ｃ4−アルコキシ（該基は場合によりフッ素及び／もしくは塩素により置換されていてもよい）、Ｃ1−Ｃ4−アルキルチオ、Ｃ1−Ｃ4−アルキルスルフィニルまたはＣ1−Ｃ4−アルキルスルホニル（該基は場合によりフッ素及び／もしくは塩素により置換されていてもよい）、ジ−（Ｃ1−Ｃ4−アルキル）−アミノスルホニル、Ｃ1−Ｃ4−アルコキシ−カルボニルまたはジメチルアミノカルボニルを表し、そして
　Ａは酸素、硫黄または基Ｎ−Ｚ1 を表し、ここで
　Ｚ1 は水素、Ｃ1−Ｃ4−アルキル（該基は場合により、フッ素、塩素、臭素もしくはシアノにより置換されていてもよい）、Ｃ3−Ｃ6−シクロアルキル、ベンジル、フェニル（該基は場合によりフッ素、塩素、臭素もしくはニトロにより置換されていてもよい）、Ｃ1−Ｃ4−アルキル−カルボニル、Ｃ1−Ｃ4−アルコキシ−カルボニルまたはジ−（Ｃ1−Ｃ4−アルキル）−アミノカルボニルを表す、
で示される、硫黄を介して結合された置換基を有するスルホニルアミノカルボニルトリアゾリノン類並びに式（Ｉ）の化合物の塩類。」
　　
２．先願発明
　これに対する原査定の拒絶の理由に引用した本願の優先権主張の日前の平成１年５月９日（パリ条約による優先権主張日１９８８年５月９日、西ドイツ）の出願であって、平成１０年２月６日に特許権の設定登録がされた特許第２７４４０６４号の特許請求の範囲第１項に係る発明（以下、先願発明という。）は、その特許請求の範囲第１項に記載されたとおりの発明であるが、特許請求の範囲の記載は膨大であるので、本願発明との対比に必要な部分のみを下記に示す。
　
「一般式（Ｉ）
式中、
　Ｒ1 は、水素、ヒドロキシル、アミノ；場合によりフッ素、塩素、臭素、シアノ、Ｃ1〜Ｃ4−アルコキシ、Ｃ1〜Ｃ4−アルキルカルボニルもしくはＣ1〜Ｃ4−アルコキシカルボニルによって置換されていてもよいＣ1〜Ｃ6−アルキル；場合によりフッ素、塩素、臭素および／もしくはＣ1〜Ｃ4−アルキルによって置換されていてもよいＣ3−Ｃ6−シクロアルキル；……場合によりフッ素、塩素、シアノ、Ｃ1〜Ｃ4−アルコキシもしくはＣ1〜Ｃ4−アルコキシカルボニルによって置換されていてもよいＣ1〜Ｃ6−アルコキシ；場合によりフッ素、シアノ、Ｃ1〜Ｃ4−アルコキシもしくはＣ1〜Ｃ4−アルコキシカルボニルによって置換されていてもよいＣ1〜Ｃ4−アルキルアミノ；またはジ−（Ｃ1〜Ｃ4−アルキル）アミノを意味し、
　Ｒ2 は……；場合によりフッ素、塩素、シアノ、Ｃ1〜Ｃ4−アルコキシもしくはＣ1〜Ｃ4−アルコキシカルボニルによって置換されていてもよいＣ1〜Ｃ6−アルキルチオ……を意味し、そしてＲ3 は基
     
を意味し、ここで
　Ｒ4 およびＲ5 は同一もしくは異なり、そして水素、フッ素、塩素、臭素、ヨウ素、ニトロ、Ｃ1〜Ｃ6−アルキル［この基は場合によりフッ素、塩素、臭素、シアノ、カルボキシル、Ｃ1〜Ｃ4−アルコキシカルボニル、Ｃ1〜Ｃ4−アルキルアミノカルボニル、ジ−（Ｃ1〜Ｃ4−アルキル）アミノカルボニル、ヒドロキシル、Ｃ1〜Ｃ4−アルコキシ、ホルミルオキシ、Ｃ1〜Ｃ4−アルキルカルボニルオキシ、Ｃ1〜Ｃ4−アルコキシカルボニルオキシ、Ｃ1〜Ｃ4−アルキルアミノカルボニルオキシ、Ｃ1〜Ｃ4−アルキルチオ、Ｃ1〜Ｃ4−アルキルスルフィニル、Ｃ1〜Ｃ4−アルキルスルホニル、ジ−（Ｃ1〜Ｃ4−アルキル）アミノスルホニル、Ｃ3〜Ｃ6−シクロアルキルもしくはフェニルによって置換されていてもよい］、Ｃ2〜Ｃ6−アルケニル［この基は場合によりフッ素、塩素、臭素、シアノ、Ｃ1〜Ｃ4−アルコキシカルボニル、カルボキシルもしくはフェニルによって置換されていてもよい］、Ｃ2〜Ｃ6−アルキニル［この基は場合によりフッ素、塩素、臭素、シアノ、Ｃ1〜Ｃ4−アルコキシカルボニル、カルボキシルまたはフェニルによって置換されていてもよい］、Ｃ1〜Ｃ4−アルコキシ［この基は場合によりフッ素、塩素、臭素、シアノ、カルボキシル、Ｃ1〜Ｃ4−アルコキシカルボニル、Ｃ1〜Ｃ4−アルコキシ、Ｃ1〜Ｃ4−アルキルチオ、Ｃ1〜Ｃ4−アルキルスルフィニルもしくはＣ1〜Ｃ4−アルキルスルホニルによって置換されていてもよい］、Ｃ1〜Ｃ4−アルキルチオ［この基は場合によりフッ素、塩素、臭素、シアノ、カルボキシル、Ｃ1〜Ｃ4−アルコキシカルボニル、Ｃ1〜Ｃ4−アルキルチオ、Ｃ1〜Ｃ4−アルキルスルフィニルもしくはＣ1〜Ｃ4−アルキルスルホニルによって置換されていてもよい］、Ｃ3〜Ｃ6−アルケニルオキシ［この基は場合によりフッ素、塩素、臭素、シアノもしくはＣ1〜Ｃ4−アルコキシカルボニルによって置換されていてもよい］、Ｃ2〜Ｃ6−アルケニルチオ［この基は場合によりフッ素、塩素、臭素、シアノ、ニトロ、Ｃ1〜Ｃ3−アルキルチオまたはＣ1〜Ｃ4−アルコキシカルボニルによって置換されていてもよい］、Ｃ3〜Ｃ6−アルキニルオキシ、Ｃ3〜Ｃ6−アルキニルチオまたは基−Ｓ(Ｏ)ｐ−Ｒ6 を意味し、ここで
　ｐは１または２を意味し、そして
　Ｒ6 はＣ1〜Ｃ4−アルキル［この基は場合によりフッ素、塩素、臭素、シアノもしくはＣ1〜Ｃ4−アルコキシカルボニルによって置換されていてもよい］、Ｃ3〜Ｃ6−アルケニル、Ｃ3〜Ｃ6−アルキニル、Ｃ1〜Ｃ4−アルコキシ、Ｃ1〜Ｃ4−アルコキシ−Ｃ1〜Ｃ4−アルキルアミノ、Ｃ1〜Ｃ4−アルキルアミノ、ジ−（Ｃ1〜Ｃ4−アルキル）アミノまたは基−ＮＨＯＲ7 を意味し、ここで
　Ｒ7 はＣ1〜Ｃ12−アルキル［この基は場合によりフッ素、塩素、シアノ、Ｃ1〜Ｃ4−アルコキシ、Ｃ1〜Ｃ4−アルキルチオ、Ｃ1〜Ｃ4−アルキルスルフィニル、Ｃ1〜Ｃ4−アルキルスルホニル、Ｃ1〜Ｃ4−アルキルカルボニル、Ｃ1〜Ｃ4−アルコキシカルボニル、Ｃ1〜Ｃ4−アルキルアミノカルボニルもしくはジ−（Ｃ1〜Ｃ4−アルキル）アミノカルボニルによって置換されていてもよい］、Ｃ3〜Ｃ6−アルケニル［この基は場合によりフッ素、塩素もしくは臭素によって置換されていてもよい］、Ｃ3〜Ｃ6−アルキニル、Ｃ3〜Ｃ6−シクロアルキル、Ｃ3〜Ｃ6−シクロアルキル−Ｃ1〜Ｃ2−アルキル、フェニル−Ｃ1〜Ｃ2−アルキル［この基は場合によりフッ素、塩素、ニトロ、シアノ、Ｃ1〜Ｃ4−アルキル、Ｃ1〜Ｃ4−アルコキシもしくはＣ1〜Ｃ4−アルコキシカルボニルによって置換されていてもよい］、ベンズヒドリルまたはフェニル［この基は場合によりフッ素、塩素、ニトロ、シアノ、Ｃ1〜Ｃ4−アルキル、トリフルオロメチル、Ｃ1〜Ｃ4−アルコキシ、Ｃ1〜Ｃ2−フルオロアルコキシ、Ｃ1〜Ｃ4−アルキルチオ、トリフルオロメチルチオもしくはＣ1〜Ｃ4−アルコキシカルボニルによって置換されていてもよい］を意味し、
　Ｒ4 および／またはＲ5 は、さらに、フェニルまたはフェノキシ、Ｃ1〜Ｃ4−アルキルカルボニルアミノ、Ｃ1〜Ｃ4−アルコキシカルボニルアミノ、Ｃ1〜Ｃ4−アルキルアミノ−カルボニルアミノ、ジ−（Ｃ1〜Ｃ4−アルキル）アミノ−カルボニルアミノ、または基−ＣＯ−Ｒ8 を意味し、ここで
　Ｒ8 はＣ1〜Ｃ6−アルキル、Ｃ1〜Ｃ6−アルコキシ、Ｃ3〜Ｃ6−シクロアルコキシ、Ｃ3〜Ｃ6−アルケニルオキシ、Ｃ1〜Ｃ4−アルキルチオ、Ｃ1〜Ｃ4−アルキルアミノ、Ｃ1〜Ｃ4−アルコキシアミノ、Ｃ1〜Ｃ4−アルコキシ−Ｃ1〜Ｃ4−アルキルアミノまたはジ−（Ｃ1〜Ｃ4−アルキル）アミノ［これらの基の各々は場合によりフッ素および／もしくは塩素によって置換されていてもよい］を意味し、
　Ｒ4および／またはＲ5は、さらに、Ｃ1〜Ｃ4−アルキルスルホニルオキシ、ジ−（Ｃ1〜Ｃ4−アルキル）アミノスルホニルアミノまたは基−ＣＨ＝Ｎ−Ｒ9を意味し、ここで
　Ｒ9 はＣ1〜Ｃ6−アルキル［この基は場合によりフッ素、塩素、シアノ、カルボキシル、Ｃ1〜Ｃ4−アルコキシ、Ｃ1〜Ｃ4−アルキルチオ、Ｃ1〜Ｃ4−アルキルスルフィニルもしくはＣ1〜Ｃ4−アルキルスルホニルによって置換されていてもよい］、ベンジル［この基は場合によりフッ素もしくは塩素によって置換されていてもよい］、Ｃ3〜Ｃ6−アルケニルまたはＣ3〜Ｃ6−アルキニル［これらの基の各々はフッ素もしくは塩素によって置換されていてもよい］、フェニル［この基は場合によりフッ素、塩素、臭素、Ｃ1〜Ｃ4−アルキル、Ｃ1〜Ｃ4−アルコキシ、トリフルオロメチル、トリフルオロメトキシもしくはトリフルオロメチルチオによって置換されていてもよい］、Ｃ1〜Ｃ6−アルコキシ、Ｃ3〜Ｃ6−アルケニルオキシ、Ｃ3〜Ｃ6−アルキニルオキシまたはベンジルオキシ［これらの基の各々は場合によりフッ素および／もしくは塩素によって置換されていてもよい］、アミノ、Ｃ1〜Ｃ4−アルキルアミノ、ジ−（Ｃ1〜Ｃ4−アルキル）アミノ、フェニルアミノ、Ｃ1〜Ｃ4−アルキルカルボニルアミノ、Ｃ1〜Ｃ4−アルコキシカルボニルアミノ、Ｃ1〜Ｃ4−アルキルスルホニルアミノまたはフェニルスルホニルアミノ［この基は場合によりフッ素、塩素、臭素またはメチルによって置換されていてもよい］を意味し、さらに　Ｒ3 は基
    
を意味し、ここで
　Ｒ10は水素またはＣ1〜Ｃ4−アルキルを意味し、
　Ｒ11およびＲ12は同一もしくは異なり、そして水素、フッ素、塩素、臭素、ニトロ、シアノ、Ｃ1〜Ｃ4−アルキル［この基は場合によりフッ素および／もしくは塩素によって置換されていてもよい］、Ｃ1〜Ｃ4−アルコキシ［この基は場合によりフッ素および／もしくは塩素によって置換されていてもよい］、カルボキシル、Ｃ1〜Ｃ4−アルコキシカルボニル、Ｃ1〜Ｃ4−アルキルスルホニルまたはジ−（Ｃ1〜Ｃ4−アルキル）アミノスルホニルを意味し、
　　　……………
さらにＲ3 は基
           
を意味し、ここで
　Ｒ19およびＲ20は同一もしくは異なり、そして水素、フッ素、塩素、臭素、シアノ、ニトロ、Ｃ1〜Ｃ4−アルキル［この基は場合によりフッ素および／もしくは塩素によって置換されていてもよい］、Ｃ1〜Ｃ4−アルコキシ［この基は場合によりフッ素および／もしくは塩素によって置換されていてもよい］、Ｃ1〜Ｃ4−アルキルチオ、Ｃ1〜Ｃ4−アルキルスルフィニルまたはＣ1〜Ｃ4−アルキルスルホニル［この基は場合によりフッ素および／もしくは塩素によって置換されていてもよい］、ジ−（Ｃ1〜Ｃ4−アルキル）アミノスルホニルまたはＣ1〜Ｃ4−アルコキシカルボニルを意味し、そして
　Ａは酸素、イオウまたは基Ｎ−Ｚ1 を意味し、ここで
　Ｚ1 は水素、Ｃ1〜Ｃ4−アルキル［この基は場合により、フッ素、塩素、臭素もしくはシアノによって置換されていてもよい］、Ｃ3〜Ｃ6−シクロアルキル、ベンジル、フェニル［この基は場合によりフッ素、塩素、臭素もしくはシアノによって置換されていてもよい］、Ｃ1〜Ｃ4−アルキルカルボニル、Ｃ1〜Ｃ4−アルコキシカルボニルまたはジ−（Ｃ1〜Ｃ4−アルキル）アミノカルボニルを意味し、
　　　　　　　　　　………………………………
のスルホニルアミノカルボニルトリアゾリノン類および式（Ｉ）の化合物の塩類。」
　　
３．対比・判断
　本願発明と先願発明とを対比すると、両者のそれぞれの特許請求の範囲に記載された式（Ｉ）において、基本骨格のトリアゾリノン基及びその置換基のうちＲ1 及びＲ3 は明らかに重複している。そこで、トリアゾリノン基の４位の置換基について検討すると、前者の、−Ｓ(Ｏ)ｎ−Ｒ2 におけるｎが０、Ｒ2 が場合によりフッ素、塩素、シアノ、Ｃ1−Ｃ4−アルコキシまたはＣ1−Ｃ4−アルコキシ−カルボニルにより置換されていてもよいＣ1〜Ｃ6−アルキルを意味する場合は、後者のＲ2 が場合によりフッ素、塩素、シアノ、Ｃ1〜Ｃ4−アルコキシもしくはＣ1〜Ｃ4−アルコキシカルボニルによって置換されていてもよいＣ1〜Ｃ6−アルキルチオを意味している場合と重複している。
　そうすると、本願発明の化合物と先願発明の化合物は、いずれもトリアゾリノン基を基本骨格として有する化合物であって、その２、４及び５位の置換基がすべて重複しているのであるから、本願発明の化合物が先願発明に包含される化合物であることは明らかである。
　先願明細書には、先願発明の有用性として、本願発明と同じ落葉剤、乾燥剤、広葉樹の破壊剤、ことに殺雑草剤として使用することができること（特許公報２２２欄３０〜３２行）が記載され、また製造方法についても、本願明細書と同じ程度（先願特許公報１０９〜１１1頁参照）の記載がされ、しかも、式（II）の化合物の出発物質の例を記載した表２にはＲ1 がＣ2Ｈ5で、Ｒ2 がＳＣＨ3の化合物が具体的に例示され、式（II）の出発物質は既知であるか、あるいはそれ自体既知の方法によって調製することができると記載されている（先願特許公報１０９頁〜１１０頁参照）。この出発物質は、本願発明化合物（ｎ＝０、Ｒ1 ＝Ｃ2Ｈ5：Ｃ2−アルキル、Ｒ2 がＣＨ3：無置換Ｃ1−アルキル）の出発物質に相当するものであるから、先願明細書には本願発明の化合物であるこの化合物について実質的に記載されているといえる。本願明細書には、ｎが０、Ｒ2 が無置換のＣ1−Ｃ3−アルキル基である化合物のいくつかが、融点などの物性値をもって記載されているが、本願発明は物性値が記載された化合物に限定されていないから、本願発明には物性値等が記載されていない多くの化合物が包含されており、そのような化合物については、先願発明と同程度の記載がされているに過ぎない。そして、先願発明も、先願明細書に物性値をもって記載されている化合物に限定されるものではないから、本願発明と先願発明との間には、重複部分が存在する。
　
　請求人は、本願発明の化合物のいくつか（実施例３、６、２８及び８０）と先願発明の化合物のいくつか（先願明細書の実施例１、１６、２３及び４５）について除草効果を比較して、本願発明の化合物は、先願発明の化合物と比較して遙かに優れた顕著な除草活性及び選択性を発揮し、本願発明の化合物については先願明細書には具体的に記載されていないので、本願発明は先願発明に対して選択発明としての要件を充足する旨主張している。
　しかし、本願発明には、上記比較結果が示されている化合物以外の化合物、例えば、式（Ｉ）において、ｎが０、Ｒ1 が水素、ヒドロキシルまたはアミノ；それぞれ場合によりフッ素、塩素及び／または臭素により置換されていてもよいＣ3−Ｃ6−アルケニルまたはＣ3−Ｃ6−アルキニル；場合によりフッ素、塩素、シアノ、フェニル、Ｃ1−Ｃ4−アルコキシまたはＣ1−Ｃ4−アルコキシ−カルボニルにより置換されていてもよいＣ1−Ｃ6−アルコキシ；Ｃ3−Ｃ4−アルケニルオキシ；場合によりフッ素、シアノ、Ｃ1−Ｃ4−アルコキシまたはＣ1−Ｃ4−アルコキシ−カルボニルにより置換されていてもよいＣ1−Ｃ4−アルキルアミノ；Ｃ3−Ｃ6−シクロアルキルアミノまたはジ（Ｃ1−Ｃ4−アルキル）−アミノを意味し、Ｒ2 がフッ素、塩素、臭素、シアノ、Ｃ1−Ｃ4−アルコキシまたはＣ1−Ｃ4−アルコキシ−カルボニルにより置換されているＣ1−Ｃ6−アルキル基を表す化合物が包含されているが、これらの化合物については本願明細書にはその除草活性は記載されていない。
　他方、先願明細書にも、一般式（Ｉ）のＲ1 が、水素、ヒドロキシル、アミノ；場合によりフッ素、塩素、シアノ、Ｃ1〜Ｃ4−アルコキシもしくはＣ1〜Ｃ4−アルコキシカルボニルによって置換されていてもよいＣ1〜Ｃ6−アルコキシ；場合によりフッ素、シアノ、Ｃ1〜Ｃ4−アルコキシもしくはＣ1〜Ｃ4−アルコキシカルボニルによって置換されていてもよいＣ1〜Ｃ4−アルキルアミノ；またはジ−（Ｃ1〜Ｃ4−アルキル）アミノを意味し、Ｒ２ がフッ素、塩素、シアノ、Ｃ1〜Ｃ4−アルコキシまたはＣ1−Ｃ4−アルコキシ−カルボニルにより置換されているＣ1〜Ｃ6−アルキルチオ基を表わす化合物が包含され、これらは本願発明と重複するものである。また、先願明細書の表２には、Ｒ1 がアミノ基、５位の置換基がメチルチオ基である、すなわち、本願発明のＲ2 が置換されていてもよいＣ1−アルキル基に相当する化合物に対応する出発化合物が明記されているから、これに対応する最終化合物（Ｒ1 がアミノ基、Ｒ2 がメチルチオ基である化合物）は、実質的に記載されているといえる。そして、これらの化合物についてみれば、その効果の記載は、本願発明における上記化合物と同程度ということができる。
　そうすると、請求人が除草効果を具体的に示した上記の化合物の比較実験の結果をもって、本願発明の化合物全体が、先願発明より優れた効果を奏するとはいえないので、本願発明は先願発明の選択発明であるとはいえない。
　したがって、請求人の主張は採用できない。
    
４．むすび
　以上のとおりであるから、本願発明は、先願発明と同一であると認められるので、特許法第３９条第１項の規定により特許を受けることができない。
　
　よって、結論のとおり審決する。